(57)【特許請求の範囲】
【請求項１】
学校に関連する業務を支援するためのサーバ装置を有する学務統合支援システムであって、
前記サーバ装置は、
装置全体を制御するＣＰＵと、
外部からの情報を受け付ける入力部と、
受付けられた情報を格納するメモリとを備え、
入学希望者ないしその保護者による学校法人への接触情報を前記入力部で受け付けて取得し、
前記ＣＰＵが取得した接触情報を前記メモリに格納するとともに、前記接触情報に関連付ける生涯ＩＤを入学希望者毎に生成し、生成した前記生涯ＩＤにより複数の学校で異なる複数の学務情報を一元的に管理する
学務統合支援システムであって、前記生涯ＩＤは、前記ＣＰＵによって前記学校法人傘下の各学校の学生それぞれに付与される学籍番号情報と対応付けられ、対応結果を前記メモリに格納され、前記生涯ＩＤは、前記接触情報が生成された時間情報と、前記入学希望者の性別情報を少なくとも含み、
前記学務情報は、学校・学部・学科、を含み、更に、
学籍番号、氏名、性別、郵便番号、住所、電話番号、学年、クラスで構成される基本情報と氏名、住所、連絡先、金融機関情報で構成される保護者を含む親族情報を有し、
出身学校情報、委員会情報、クラブ情報、通学経路情報のいずれか１つ以上を含む学生情報を少なくとも有し、
前記学務情報は更に、
（１）出欠席情報またはカレンダ情報を管理する出欠席情報
（２）教科、授業、素点、選択・必須、男女別の情報を管理する成績情報
（３）ボランティアないしインターンシップでの活動情報を管理する活動記録情報
（４）担任、専任、講師、学年主任、科目主任、教務主任、副校長/教頭、校長、事務、事務長等の責任範囲と権限に応じた権限情報を管理するアクセス権限情報
（５）ＰＴＡ役員情報及び連絡先情報を管理するＰＴＡ情報 
（６）入試説明会情報及び願書情報を管理する入試管理情報
（７）進級、進学、必須・選択科目に関する情報を管理するクラス編成情報
（８）卒業生または同窓生の進学先、就職先、住所変更、電話番号変更、氏名変更（結婚等）、死亡管理、連絡拒否の情報を管理する同窓会情報
（９）学費、ＰＴＡ会費などの校用費情報、金融機関情報、納入日・納入状況の情報を管理する学費情報
（１０）定点管理及び面談記録の用途別管理情報であるカルテ情報
（１１）所属クラブ名、入部日、退部日、役職、所属委員会名、入会日、退会日、役職の情報を管理するクラブ・委員会情報 
（１２）学校説明会、学校相談会、オープンキャンパス、模擬授業参観による学校イベント情報、開催日、開催時間、開催内容、参加者の情報で構成する学校説明会情報
のいずれか１つ以上を有し、
前記生涯ＩＤは親族関係の情報で他の生涯ＩＤと対応付けて、世代間での学校への接触状況を把握可能とする
ことを特徴とする学務統合支援システム。
【請求項２】
学校に関連する業務を支援するためのサーバ装置を有する学務統合支援システムの支援方法であって、
前記サーバ装置は、
装置全体を制御するＣＰＵと、
外部からの情報を受け付ける入力部と、
受付けられた情報を格納するメモリとを備え、
入学希望者ないしその保護者による学校法人への接触情報を前記入力部で受け付けて取得し、
前記ＣＰＵが取得した接触情報を前記メモリに格納するとともに、前記接触情報に関連付ける生涯ＩＤを入学希望者毎に生成し、生成した前記生涯ＩＤにより複数の学校で異なる複数の学務情報を一元的に管理する学務統合支援システムの支援方法であって、前記生涯ＩＤは、前記ＣＰＵによって前記学校法人傘下の各学校の学生それぞれに付与される学籍番号情報と対応付けられ、対応結果を前記メモリに格納され、前記生涯ＩＤは、前記接触情報が生成された時間情報と、前記入学希望者の性別情報を少なくとも含み、
前記学務情報は、学校・学部・学科、を含み、更に、
学籍番号、氏名、性別、郵便番号、住所、電話番号、学年、クラスで構成される基本情報と氏名、住所、連絡先、金融機関情報で構成される保護者を含む親族情報を有し、
出身学校情報、委員会情報、クラブ情報、通学経路情報のいずれか１つ以上を含む学生情報を少なくとも有し、
前記学務情報は更に、
（１）出欠席情報またはカレンダ情報を管理する出欠席情報
（２）教科、授業、素点、選択・必須、男女別の情報を管理する成績情報
（３）ボランティアないしインターンシップでの活動情報を管理する活動記録情報
（４）担任、専任、講師、学年主任、科目主任、教務主任、副校長/教頭、校長、事務、事務長等の責任範囲と権限に応じた権限情報を管理するアクセス権限情報
（５）ＰＴＡ役員情報及び連絡先情報を管理するＰＴＡ情報 
（６）入試説明会情報及び願書情報を管理する入試管理情報
（７）進級、進学、必須・選択科目に関する情報を管理するクラス編成情報
（８）卒業生または同窓生の進学先、就職先、住所変更、電話番号変更、氏名変更（結婚等）、死亡管理、連絡拒否の情報を管理する同窓会情報
（９）学費、ＰＴＡ会費などの校用費情報、金融機関情報、納入日・納入状況の情報を管理する学費情報
（１０）定点管理及び面談記録の用途別管理情報であるカルテ情報
（１１）所属クラブ名、入部日、退部日、役職、所属委員会名、入会日、退会日、役職の情報を管理するクラブ・委員会情報 
（１２）学校説明会、学校相談会、オープンキャンパス、模擬授業参観による学校イベント情報、開催日、開催時間、開催内容、参加者の情報で構成する学校説明会情報
のいずれか１つ以上を有し、
前記生涯ＩＤは親族関係の情報で他の生涯ＩＤと対応付けて、世代間での学校への接触状況を把握可能とする
ことを特徴とする学務統合支援システムの支援方法。
【発明の詳細な説明】
【技術分野】
【０００１】
本発明は、学務統合支援システム及び支援方法に関する。
【背景技術】
【０００２】
近年、少子化による保護者の教育への関心の高まり、学習指導だけでなく生活指導も含めたきめ細かい生徒指導が必要とされるのが教育現場での現状となってきている。このような教育現場では、教職員の事務処理工数が増大してきている。一方、生徒ないし保護者の満足度を向上させる必要が学校ならびに学校の教職員に求められている。教員は生徒と向き合う時間の確保による教育の質の向上を目指す動きと、職員の事務工数低減による生徒・保護者や教員向けのサポートの充実する動きがある。このような学校活動管理の効率化を図る技術として、特許文献１ないし特許文献２記載のものがある。
【０００３】
特許文献１の技術は、所定の学校活動を電子化することによって学校活動管理の効率化を図り、学校および所定の学校関係者によって所有される情報処理装置と通信可能に接続され、プロバイダによって管理された学校支援システムを提供するものである。具体的には、学校支援システムは情報処理装置と学校支援システムとの間で通信を行うためのサーバ群と、サーバ群に接続され、所定の学校活動に関連したデータが蓄積されたデータベースを含んで構成される。
【０００４】
また、サーバ群が、データベース内に蓄積された所定の学校活動に関連したデータを呼び出し、情報処理装置と通信することによって所定の学校活動を支援する機能を実行する。更に、サーバ群は、ユーザ認証を行う認証サーバと、所定の学校活動を支援する機能を有するアプリケーションを提供するＷｅｂサーバと、電子メールの送受信を行うメールサーバと、データベースを管理するデータベースサーバ等と含んで構成されるものである。
【０００５】
また、特許文献２の技術は、地域一体となった学校教育が可能なように学校やその所管機関が行う学校に関する事務処理を軽減するための学校業務支援システムを提供するものである。具体的には、学校側と所管機関側のクライアント装置へネットワーク接続されたサーバ装置に、事務文書入力手段と事務文書登録手段と事務文書提示手段及び事務文書修正手段を備える。
【０００６】
事務文書入力手段ではクライアント装置から事務文書を入力させ、事務文書登録手段では入力された事務文書を事務文書ＤＢに登録させる。事務文書提示手段ではクライアント装置に事務文書ＤＢに登録された事務文書を提示する。事務文書修正手段では提示された事務文書を修正してＤＢに再登録させる。サーバ装置の機能としてこれら手段と他種のユーザに対する情報提供などを同じポータルサイトから提供するものである。
【先行技術文献】
【特許文献】
【０００７】
【特許文献１】日本公開特許２００２−３３４１８３号公報
【特許文献２】日本公開特許２００３−４４５９９号公報
【発明の概要】
【発明が解決しようとする課題】
【０００８】
幼稚園から大学院までの一貫教育を実施する学校法人では、各学園・学校（幼稚園、小学校、中学校、高校、大学、大学院）で扱う管理情報が全て一致していることはない。これは、管理方法についても同様なことが言える。これら幼稚園から大学院までの一貫教育を実施する学校法人での情報を一元的に管理することは特許文献１ないし特許文献２記載の技術では、開示されていない。但し、この学校の種別は一例であり、学校法人が運営する専門学校や各種スクール（テニススクール、社会人講座等）を含める場合もある。また、学校の種別の組み合わせを制限するものではない。このような様々な学校運営形態においても、特許文献１ないし特許文献２では、管理情報及び管理方法の一元化について言及されていない。
【０００９】
また、入園・入学前の学校説明会やオープンキャンパス等で取得された入学希望者及び保護者に関する情報が、入学後の管理情報として継続して引き継ぐこと及び一元管理することに関しても開示がない。更に、卒園・卒業後の同窓会や異なる世代、例えば、親子で同一の学校法人の学校に在籍した情報等の一元管理についても特許文献１ないし特許文献２では考慮されていない。
【００１０】
そのため、幼稚園から大学院までの一貫教育を実施する学校法人や中学校・高校一貫教育を実施する学校法人などでは、学校毎に異なる情報を異なる管理方法で管理しているため、管理工数が大きく管理の効率化が低下しているという課題がある。更に、学校間で情報を共有することができないという課題もある。そこで、本発明では管理工数の低減及び効率化の向上、管理の一元化ができる学務統合支援システムを提供することを目的とする。
【課題を解決するための手段】
【００１１】
上記課題を解決するために、本発明の学務統合支援システムでは、入学希望者ないしその保護者による学校法人への最初の接触時に入学希望者ないしその保護者に関する接触情報を取得し、接触情報と関連付ける生涯ＩＤを入学希望者毎に生成し、生成した生涯ＩＤにより複数の学校で異なる複数の学務情報を一元的に管理し、前記生涯ＩＤは親族関係の情報で他の生涯ＩＤと対応付けて、世代間での学校への接触状況を把握可能とする。
【発明の効果】
【００１２】
本発明の学務統合支援システムでは、学校や学園で管理する情報の管理工数の低減及び効率化の向上ができる。また、情報の一元管理が可能なので、学校間ならび学生・保護者・同窓会等で必要な情報を共有することができる。なお、前述以外の課題、構成及び効果は、以下の実施形態の説明により明らかにされる。
【図面の簡単な説明】
【００１３】
【図１】図１は、学務統合支援システムの全体概要を示す図である。
【図２】図２は、学務統合支援システム全体の構成を示すブロック図である。
【図３】図３は、学務統合支援システムにおけるサーバ内部を示すブロック図である。
【図４】図４は、学務統合支援システムにおける機能ブロックを示す図である。
【図５】図５は、生涯ＩＤ基本情報テーブルの構成例を示す図である。
【図６】図６は、生徒・学生基本情報管理テーブルの構成例を示す図である。
【図７】図７は、ＩＤ対応関係管理テーブルの構成例を示す図である。
【図８】図８は、第１の生涯ＩＤ管理テーブルの構成例を示す図である。
【図９】図９は、第２の生涯ＩＤ管理テーブルの構成例を示す図である。
【図１０】図１０は、生涯ＩＤの登録処理を示すフローチャート図である。
【図１１】図１１は、生涯ＩＤと学籍番号ＩＤとの関連付け処理を示すフローチャート図である。
【図１２】図１２は、生涯ＩＤを用いた情報検索処理を示すフローチャート図である。
【図１３】図１３は、生涯ＩＤと他の生涯ＩＤとの関連付け処理を示すフローチャート図である。
【発明を実施するための形態】
【００１４】
以下、図面を参照しながら本発明の実施の形態を説明する。なお、以下の説明では、「管理テーブル」等の表現にて各種情報を説明することがあるが、各種情報は、テーブル以外のデータ構造で表現されていてもよい。また、データ構造に依存しないことを示すために「管理テーブル」を「管理情報」と呼ぶことができる。
【００１５】
また、「プログラム」を主語として処理を説明する場合がある。そのプログラムは、プロセッサ、例えば、ＭＰ（Ｍｉｃｒｏ  Ｐｒｏｃｅｓｓｏｒ）やＣＰＵ（Ｃｅｎｔｒａｌ  Ｐｒｏｃｅｓｓｉｎｇ  Ｕｎｉｔ）によって実行されるもので、定められた処理をするものである。なお、適宜に記憶資源（例えば、メモリ）及び通信インターフェース装置（例えば、通信ポート）を用いながら行うため、処理の主語がプロセッサとされてもよい。プロセッサは、ＣＰＵの他に専用ハードウェアを有していても良い。コンピュータプログラムは、プログラムソースから各コンピュータにインストールされても良い。プログラムソースは、例えば、プログラム配布サーバ又は記憶メディアなどで提供されるものであっても良い。
【００１６】
また、各要素、例えば、コントローラは番号などで識別可能であるが、識別可能な情報であれば、名前など他種の識別情報が用いられても良い。本発明の図及び説明において同一部分には同一符号を付与しているが、本発明が本実施例に制限されることは無く、本発明の思想に合致するあらゆる応用例が本発明の技術的範囲に含まれる。また、特に限定しない限り、各構成要素は複数でも単数でも構わない。
【００１７】
＜＜学務統合支援システム＞＞
＜全体概要＞
図１は、学務統合支援システムの全体概要を示す図である。学務統合支援システム１は、教職員や情報システム部門の運用員（情報システム運用員）からの情報を入力情報として受け付け、また、学務統合支援システム１で処理された情報（統計処理、分析処理などを行った情報）や前述の受け付けた入力情報を、各種出力情報として教職員や情報システム運用員に加え、校長や理事長という学校監督責任者へも提供し、学校運営の効率化を図るシステムである。
【００１８】
クラス担任（教員）から学務統合支援システム１への入力情報１１として、主に出欠席情報、成績データ（素点、評価）、クラブ情報、委員会情報などがある。また、事務局（職員）から学務統合支援システム１への入力情報１２として、学生や保護者の郵便番号、住所、電話番号、口座番号など情報がある。更に、情報センタ（情報システム運用員）から学務統合支援システム１への入力情報１３として、クラス編成、入試管理、授業設定、カレンダ設定、アクセス権限などの情報がある。
【００１９】
学務統合支援システム１で動作する各機能（図示せず、詳細は図４で説明）で、上記入力情報をテーブル形式などで管理し、所定のフォーマットに変換し適切な情報を教職員等へ提供する。例えば、学務統合支援システム１から事務局（職員）への出力情報１４としては、ＰＴＡへの案内送付用ラベル（郵便番号、住所、氏名など）の印刷結果などがある。また、学務統合支援システム１からクラス担任（教員）への出力情報１５としては、出欠席状況、クラブ活動状況、担当委員、成績などの各種情報を明記した成績通知票や入学願書に添付する調査表などがある。
【００２０】
更に、学務統合支援システム１から科目担当（教員）への出力情報１６としては、学年毎の全体の成績集計結果（科目名、成績（点数、評価）、氏名、クラス、学年など）がある。加えて、学務統合支援システム１から責任者である校長・学年主任・教科主任（教員）への出力情報１７としては、クラスないし学年毎のリアルタイムな出欠席情報があり、この情報により学園・学校・学級閉鎖の迅速な判断を実施する。また、この出欠席情報から欠席が多い生徒を特定し、その生徒に対して各種ケアを実施できる。
【００２１】
＜全体構成ブロック＞
図２は、学務統合支援システム全体の構成を示すブロック図である。学務統合支援システム１は、データセンタ２１と校務システム２２とで構成され、データセンタ２１と校務システム２２との間はインターネット２３及び広域イーサネット（登録商標）２４で接続され各情報の遣り取りが行われる。なお、データセンタ２１と校務システム２２とを統合し１つのシステムとしてもよい。
【００２２】
データセンタ２１は、サーバ群２１１（バックアップサーバ、校務・教務サーバ群、仮想ＰＣ、各種セキュリティサーバ、ＡＤ（ＩＤ認証基盤）兼監視サーバ、ＮＡＳ（Ｎｅｔｗｏｒｋ  Ａｔｔａｃｈｅｄ  Ｓｔｒａｇｅ：ファイルサーバ）が仮想基盤２１３上ないしは物理的に動作する。また、上記サーバ群２１１が共有して情報を格納するための共有ストレージ２１４が直接ないし仮想基盤を経由してサーバ群２１１に接続される。また、サーバ群２１１及び共有ストレージ２１４は、ネットワークスイッチ２１２でインターネット２３と、ネットワークスイッチ２１５で広域イーサネット２４と接続する。
【００２３】
インターネット２３には、障害対応をリモートで行うためのＳＥリモートサポート２５も接続される。更に、学校関係者（職員、教員、校長、学長、理事長など）が、自宅ないし外出先においてＰＣ（Ｐｅｒｓｏｎａｌ  Ｃｏｍｐｕｔｅｒ）２６で学務統合支援システム１にアクセスできようインターネット２３に接続できる構成としている。なお、接続には、情報漏洩を防止するため暗号化（ＶＮＰ：Ｖｉｒｔｕａｌ  Ｐｒｉｖａｔｅ  Ｎｅｔｗｏｒｋ）通信で行う。
【００２４】
校務システム２２には、ＮＡＳサーバ２２１、ＡＤ（ＩＤ認証基盤）サーバ２２２、プリンタ２２３、無線ＡＰ（Ａｃｃｅｓｓ  Ｐｏｉｎｔ）２２４、ネットワークスイッチ２２５／２２６、教職員ＰＣ２２７１、システム運用ＰＣ２２８、教務ヘルプ用ＰＣ２２９を備える。
【００２５】
ＮＡＳサーバ２２１は各種情報を格納するファイルサーバで、格納された情報を後述の教職員ＰＣ２２７１などへ提供する。ＡＤサーバ２２２は、学務統合支援システム１の利用者に対するアクセス権限を付与するサーバで、権限の度合いに応じて利用者がアクセスできる情報の制限を行う。
【００２６】
プリンタ２２３は、前述のＰＴＡへの案内送付用ラベルや成績通知票や調査表をプリントアウトするための出力装置である。無線ＡＰ（Ａｃｃｅｓｓ  Ｐｏｉｎｔ）２２４は、学校内において教職員ＰＣ２２７１と各種サーバ（ＮＡＳサーバ２２１、ＡＤサーバ２２２など）とを無線で接続するための機器である。ネットワークスイッチ２２５／２２６は、インターネット２３や広域イーサネット２４に校務システム２２と接続するための機器である。
【００２７】
教職員ＰＣ２２７１は、教員及び職員が使用するＰＣで、このＰＣでＮＡＳサーバ２２１やデータセンタ２１の各種サーバへの各種情報の入力や出力を行う。システム運用管理者ＰＣ２２８は、校務システム２２運用状況を監視して正常なシステム状態を維持するために用いられるＰＣ（端末）である。教務ヘルプ用ＰＣ２２９は、教務支援を担当する職員が使用するＰＣである。なお、図示はしていないが、幼稚園から大学院までの各学校の生徒や学生がＰＣ（端末）を使用し、校務システム２２のサーバにアクセスすることで自分の成績や評価内容等を閲覧することもできる。但し、この学校の種別は一例であり、学校法人が運営する専門学校や各種スクール（テニススクール、社会人講座等）を含める場合もある。また、学校の種別の組み合わせを制限するものではない。
【００２８】
＜サーバ内部構成＞
図３は、学務統合支援システムにおけるサーバ内部を示すブロック図である。データセンタ２１のサーバ群２１１や校務システム２２のＮＡＳサーバ２２１、ＡＤ（ＩＤ認証基盤）サーバ２２がサーバ３１に相当する。なお、前述のサーバがサーバ３１の構成と同一である必要はなく、使用用途に応じて内部構成を変更すればよい。また、教員や職員などが使用するＰＣもサーバ３１と同様な構成である。
【００２９】
サーバ３１は、ＣＰＵ３１１、メモリ３１２、記憶部３１３、入力部３１４、出力部３１５、表示部３１６、通信部３１７を備える。ＣＰＵ３１１は、サーバ３１全体を制御するプロセッサである。メモリ３１２は、各種プログラム及び後述する各種データなどを一時的に記憶するデバイスである。記憶部３１３は、各種プログラム及び後述する各種データなどを恒久的に記憶するデバイスで、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）である。
【００３０】
入力部３１４は、入力を受け付けるデバイスで、例えば、キーボードである。出力部３１５は、情報やデータを出力するデバイスで、例えば、スピーカやプリンタである。表示部３１６は、情報やデータを表示するデバイスで、例えば、液晶ディスプレイである。通信部３１７は、ネットワーク２３／２４を介し他のサーバやＰＣと接続するデバイスである。これら構成要素は、内部バスで相互に接続され所定の処理を実行することができる。
【００３１】
＜機能ブロック図＞
図４は、学務統合支援システムにおける機能ブロックを示す図である。学務統合支援システム１は、学生情報管理機能４０、出欠席情報管理機能４０１、成績情報管理機能４０２、活動情報管理機能４０３、帳票出力管理機能４０４、マスタ管理機能４０５、アクセス権限管理機能４０６、ＰＴＡ管理機能４０７、入試管理機能４０８、クラス編成管理機能４０９、同窓会管理機能４１０、学費関連管理機能４１１、カルテ関連管理機能４１２、クラブ・委員会管理機能４１３、学校説明会管理機能４１４を備える。
【００３２】
学生情報管理機能４０は、基本情報（学籍番号、氏名、性別、郵便番号、住所、電話番号、学校・学部・学科、学年、クラス）、保護者情報（氏名、住所、連絡先、金融機関情報など）、出身学校情報、委員会情報、クラブ情報、通学経路情報などを管理するもので、入力機能及び出力機能を備える。なお、入力機能は各種情報を入力部３１４で受け付ける機能で、受け付けられた情報をメモリ３１２や記憶部３１３に記憶する。また、災害時のデータロストを防止するため、データセンタ２１での共有ストレージ２１４等にアックアップする。また、出力機能は各種情報を出力部３１５（プリンタ２２３）や表示部３１６に出力する機能である。
【００３３】
出欠席情報管理機能４０１は、出欠席情報やカレンダ情報を管理するもので、出席、停止、忌引、事故欠、病欠、遅刻、早退などの入力機能と出力時の自動計算機能を備える。  成績情報管理機能４０２は、成績情報（教科、授業、素点、選択・必須、男女別）を管理し、素点入力、入力状況管理、満点値管理、評価入力（Ｘ段階評価）、観点別評価、調査書入力、指導要録入力、通知表入力等の成績や評価に関する入力機能及び出力機能を備える。
【００３４】
活動情報管理機能４０３は、ボランティア活動情報やインターシップ活動情報を管理する機能で、他の機能と同様、入力機能及び出力機能を有する。帳票出力管理機能４０４は、指導要録、調査書、通知表、各種成績管理・統計情報、各種出欠席管理・統計情報を管理する機能で、各種ダウンロード（ＣＳＶ）機能、各種印刷用成型（差込み印刷）機能、ＰＤＦ変換機能などの入出力機能も備える。
【００３５】
マスタ管理機能４０５は、教職員名、科目名、クラブ名、委員会名観点等の標準修正項目の各種マスタの修正・追加・削除等を行う機能で、他の機能と同様、入力機能及び出力機能を有する。アクセス権限管理機能４０６は、担任、専任、講師、学年主任、科目主任、教務主任、副校長/教頭、校長、事務、事務長等の責任範囲と権限に応じた参照、書き込み権限設定機能を有する。
【００３６】
ＰＴＡ管理機能４０７は、ＰＴＡ役員情報や連絡先情報を管理する機能で、入力機能の他に郵送用ラベル印刷等の出力機能も有する。入試管理機能４０８は、説明会登録、願書登録連携（受験番号管理、領収書発行、受験票発行、追加申し込み等）、入試システム（素点、満点値、順位、成績分布等）、アンケート入力機能、塾情報管理、合否判定資料印刷機能である。
【００３７】
クラス編成管理機能４０９は、年次のクラス編成に関する情報（進級、進学、必須・選択科目等）を管理する機能で、他の機能と同様、入力機能及び出力機能を有する。同窓会管理機能４１０は、卒業生または同窓生の進学先、就職先、住所変更、電話番号変更、氏名変更（結婚等）、死亡管理、連絡拒否などの情報を管理する機能で、他の機能と同様、入力機能及び出力機能を有する。
【００３８】
学費関連管理機能４１１は、学費、ＰＴＡ会費などの校用費情報、金融機関情報、納入日・納入状況などの情報を管理するもので、他の機能と同様、入力機能及び出力機能を有する。カルテ関連管理機能４１２は、用途別管理情報（定点管理、面談記録）を管理する機能で、他の機能と同様、入力機能及び出力機能を有する。
【００３９】
クラブ・委員会管理機能４１３は、所属クラブ名、入部日、退部日、役職、所属委員会名、入会日、退会日、役職等の情報を管理する機能で、他の機能と同様、入力機能及び出力機能を有する。学校説明会管理機能４１４は、学園ないし学校のイベント（学校説明会、学校相談会、オープンキャンパス、模擬授業参観など）の開催日、開催時間、開催内容、参加者等の情報を管理する機能で、他の機能と同様、入力機能及び出力機能を有する。
【００４０】
以上のような多種多様な情報や機能が学校運営には必要であり、また、各学校（幼稚園から大学院）に求められる情報及び機能が異なる。そこで本発明では、図５で説明する生涯ＩＤを用いて前述の各学校に求められる情報を一元管理し、更に機能の連携を実現するものである。但し、この学校の種別は一例であり、学校法人が運営する専門学校や各種スクール（テニススクール、社会人講座等）を含める場合もある。また、学校の種別の組み合わせを制限するものではない。
【００４１】
＜＜テーブル＞＞
＜生涯ＩＤ基本情報テーブル＞
図５は、生涯ＩＤ基本情報テーブルの構成例を示す図である。生涯ＩＤ基本情報テーブル５０は、学園ないし学校のイベント（学校説明会、オープンキャンパス、模擬授業参観、入学試験願書提出など）に希望者が参加した場合や入学願書を受け付けた場合などで生涯ＩＤが付与されると同時に生成される。
【００４２】
生涯ＩＤ基本情報テーブル５０は、項目５０１及び項目５０１に対する情報を格納する内容５０２を有する。項目５０１として、本発明の特徴である生涯ＩＤ番号、入学・入園希望者及び保護者の氏名、入学・入園希望者の性別及び生年月日、保護者ないし入学・入園希望者の住所情報（郵便番号、住所、自宅電話版語、携帯電話番号）、親類情報（該当学校での親類縁者の在籍ないし卒業・修了の有無）、生涯ＩＤ基本情報テーブル５０が生成された契機情報であるイベント情報（イベント種別及びイベント当日の整理番号などの識別番号）、進学塾・予備校情報、主催者側使用欄を設けている。但し、この項目は一例であり、生涯ＩＤ番号に対し本例以外の項目を設けてもよい。
【００４３】
生涯ＩＤ基本情報テーブル５０の項目５０１に対する内容５０２は、教職員ＰＣ２２７１で教職員により入力される。そして、その入力情報を学務統合支援システム１で受け付けて生涯ＩＤの付与と生涯ＩＤ基本情報テーブル５０の生成が行われる。
【００４４】
＜生徒・学生基本情報管理テーブル＞
図６は、生徒・学生基本情報管理テーブルの構成例を示す図である。生徒・学生基本情報管理テーブル６０／６１は、生徒・学生基本情報を管理するもので、学務統合支援システム１の学生情報管理機能４０で生成される。生徒・学生基本情報管理テーブル６０は高校在籍時の生徒・学生基本情報を管理するテーブルで、生徒・学生基本情報管理テーブル６１は、大学在籍時の生徒・学生基本情報を管理するテーブルである。
【００４５】
生徒・学生基本情報管理テーブル６０／６１は、基本情報（学籍番号、氏名、性別、郵便番号、住所、電話番号、学校・学部・学科、学年、クラス）、保護者情報（氏名、住所、連絡先、金融機関情報など）、出身学校情報、委員会情報、クラブ情報、通学経路情報の他に、生涯ＩＤの情報を格納する。また、学生情報管理機能４０以外の機能で生成される各種管理テーブルも生涯ＩＤで、また、生涯ＩＤに加えて学籍番号で管理し、各種管理テーブル相互に関連付ける。これにより、情報の一元管理及び機能間連携を行うことが可能となる。
【００４６】
また、生徒・学生基本情報管理テーブル６０と生徒・学生基本情報管理テーブル６１とは、生涯ＩＤの情報で関連付けることができる。例えば、大学在籍中に高校での成績証明が必要になった場合、学生本人が高校での学籍番号を覚えていれば、直ぐに入手できる。しかしながら、覚えていない場合は、本人の氏名、生年月日等の情報を用いて学籍番号等を調査し入手しなければならない。
【００４７】
ところが、図６のように高校在籍時の氏名が“山田太郎”から大学在籍中の氏名が“海林太郎”と姓が変わっている場合は、該当する学籍番号を調査できず成績票を入手することができない可能性がある。
【００４８】
本発明では、生涯ＩＤで学校毎に管理している生徒・学生基本情報を統一的に関連付けることができる。そのため、学生本人は大学の学籍番号で高校側に成績票の入手を依頼することができ、高校側でも大学の学籍番号と生涯ＩＤとの関係、生涯ＩＤと高校での学籍番号の関係を迅速に検索して把握できる。この関係を図７で説明する。
【００４９】
＜ＩＤ対応関係管理テーブル＞
図７は、ＩＤ対応関係管理テーブルの構成例を示す図である。ＩＤ対応関係管理テーブル７０は、生涯ＩＤと各学校での学籍番号との対応を管理するテーブルである。ＩＤ対応関係管理テーブル７０は、生涯ＩＤの格納フィールドである生涯ＩＤ７０１と、学籍番号フィールドの学校ＩＤ１（幼稚園）７０２、学校ＩＤ２（小学校）７０３、学校ＩＤ３（中学）７０４、学校ＩＤ４（高校）７０５、学校ＩＤ５（高校拡張１）７０６、学校ＩＤ６（高校拡張２）７０７、学校ＩＤ７（大学）７０８、学校ＩＤ８（大学拡張１）７０９、学校ＩＤ９（大学院）７１０を備える。
【００５０】
本発明では、生涯ＩＤで、各学校の学籍番号を管理する。これにより、途中で親の離婚などで姓が変わっても同じ人物と特定できる効果がある。また、生涯ＩＤのファーマットは、例えば、西暦４桁＋性別１桁（１：男性、２：女性）＋通し番号４桁とすると、付与年（年度）や性別を識別し易い。
【００５１】
また、生涯ＩＤのファーマットを、西暦４桁＋性別１桁（１：男性、２：女性）＋接触契機２桁（例えば、１０：学校説明会、１１：学校相談会、２０：オープンキャンパス、３０：模擬授業参観など）＋通し番号４桁とし、生涯ＩＤを簡単に分析するだけで年度毎の接触契機の傾向を把握できるようにしてもよい。なお、生涯ＩＤは数字だけでなく、英字などを組み合わせたフォーマット形式でもよい。例えば、接触契機において学校説明会などのイベント種別をアルファベットで表し、開催回数を数字で表すようにしてもよい。そうすることで、“Ａ１”を学校説明会１回目、“Ｂ１”を学校相談会１回目、“Ｃ２”をオープンキャンパス２回目、“Ｄ３”を模擬授業参観３回目と識別できる。
【００５２】
生涯ＩＤが“２０００２００２１”の人物は、２０００年に学校法人と最初の接触が有り、その後、幼稚園に入園して小学校は別の学校へ通い、中学受験して中学校及び高校に在籍したと分かる。また、生涯ＩＤが“２００２２００１５”の人物は、オープンキャンパスや入学説明会などで登録したものの、結局、入学に至らなかったと識別でき、生涯ＩＤのみが残留した状態である。
【００５３】
なお、学校ＩＤ４（高学）のように、学校によっては、科（普通科、工業科、商業科など）単位で学籍番号に規則性を持たせる場合がある。そのような場合は、学校単位で複数の学籍番号を管理できるようフィールドを追加する。また、学校ＩＤ５（高校拡張１）及び学校ＩＤ６（高校拡張２）のように、複数の中学や高校、そして大学や大学院、専門学校などを持つ学校法人で「転科」以外にも学校ＩＤフィールドを利用する。また、これを利用して、卒業生管理や同窓会管理、ＰＴＡ管理、図書館管理などの学校以外の用途も多岐に渡ることができるので、利便性が向上する。
【００５４】
このように、本発明では各学校で独自に管理している学籍番号を生涯ＩＤで一元管理することで、管理工数の削減と効率化を実現できる。
【００５５】
＜生涯ＩＤ管理テーブルの構成例＞
図８は、第１の生涯ＩＤ管理テーブルの構成例を示す図である。生涯ＩＤ管理テーブル８０は、直系の親族関係（親子関係）における生涯ＩＤ間の対応付けを管理するテーブルである。生涯ＩＤ管理テーブル８０は、親は２名まで、子は５名まで登録できる構成としており、そのため、元生涯ＩＤ８０１、親生涯ＩＤ１  ８０２、親生涯ＩＤ２  ８０３、子生涯ＩＤ１  ８０４、子生涯ＩＤ２  ８０５、子生涯ＩＤ３  ８０６、子生涯ＩＤ４  ８０７、子生涯ＩＤ５  ８０８を有する。なお、生涯ＩＤ管理テーブル８０を簡単に説明するため、生涯ＩＤを３桁の数値としている。但し、この項目は一例であり、祖父母等の別の項目を設定することも可能である。
【００５６】
生涯ＩＤ管理テーブル８０のエントリ８１２ないしエントリ８１３の情報から、生涯ＩＤが“００４”の子供と“００５”の子供と“００６”の子供とは、３人兄弟であることが分かる。そして、エントリ８１４からエントリ８１６までの情報から、３人兄弟は、生涯ＩＤが“００２”の親と“００３”の親とに親子関係が存在することが分かる。更に、生涯ＩＤが“００１”の人物と、生涯ＩＤが“００２”の人物とに親子関係が存在することが分かる。これらの生涯ＩＤの関係から３人兄弟にとって、生涯ＩＤが“００１”の人物が祖父または祖母と分かる。このように、親子関係で生涯ＩＤを紐付けることで世代間での学校法人への接触状況を把握することができる。
【００５７】
図９は、第２の生涯ＩＤ管理テーブルの構成例を示す図である。生涯ＩＤ管理テーブル９０は傍系（叔父叔母、甥姪、兄弟姉妹など）の親族間における生涯ＩＤ間の対応付けを管理するテーブルである。生涯ＩＤ管理テーブル９０は、叔父生涯ＩＤ９０１、叔母生涯ＩＤ９０２、元生涯ＩＤ９０３、兄姉生涯ＩＤ９０４、弟妹生涯ＩＤ９０５、甥生涯ＩＤ９０６、姪生涯ＩＤ９０７を有する。元生涯ＩＤ９０３が“２０００１０００１”の人物は、叔父（叔父生涯ＩＤ９０１が“１９５３１０００１”）が同一の学校法人に在籍中か卒業した事、またはオープンキャンパスや入学説明会等への参加した事を、この生涯ＩＤ管理テーブル９０で分かる。
【００５８】
＜＜各種処理＞＞
本例では処理の主体を学務統合支援システム１におけるサーバのＣＰＵ３１０とするが、ＣＰＵ３１０上で動作するプログラムでも、サーバ自体ないし学務統合支援システム１自体でもよい。
【００５９】
＜生涯ＩＤ登録処理＞
図１０は、生涯ＩＤの登録処理を示すフローチャート図である。本処理は、学校説明会、オープンキャンパス、模擬授業参観、入学試験願書提出などの学校法人に対する接触が発生し、その接触情報が学務統合支援システム１に受け付けられたことを契機に実行される。
【００６０】
Ｓ１００１で、ＣＰＵ３１０は、接触情報がオープンキャンパスへの参加か否かを判断する。参加であれば（Ｙｅｓ）、ＣＰＵ３１０はＳ１００５を、参加でなければ（Ｎｏ）、Ｓ１００２を実行する。Ｓ１００２で、ＣＰＵ３１０は、接触情報が学校説明会への参加か否かを判断する。参加であれば（Ｙｅｓ）、ＣＰＵ３１０はＳ１００５を、参加でなければ（Ｎｏ）、Ｓ１００３を実行する。
【００６１】
Ｓ１００３で、ＣＰＵ３１０は、接触情報が入学試験の受験か否かを判断する。受験であれば（Ｙｅｓ）、ＣＰＵ３１０はＳ１００５を、受験でなければ（Ｎｏ）、Ｓ１００４を実行する。Ｓ１００４で、ＣＰＵ３１０は、接触情報がその他の学校行事（例えば、模擬授業参観、入試説明会など）への参加か否かを判断する。参加であれば（Ｙｅｓ）、ＣＰＵ３１０はＳ１００５を実行する。参加でなければ（Ｎｏ）、ＣＰＵ３１０はＳ１００９を実行し、接触情報の送信元（教職員ＰＣ２２７１）にエラー通知を送信して本生涯ＩＤの登録処理を終了する。この場合は、生涯ＩＤを付与しない。
【００６２】
Ｓ１００５で、ＣＰＵ３１０は、接触情報から参加者ないし受験者の基本情報を取得する。Ｓ１００６で、ＣＰＵ３１０は、取得した基本情報に対する生涯ＩＤを採番する。Ｓ１００７で、ＣＰＵ３１０は、採番した生涯ＩＤに対する生涯ＩＤ基本テーブル５０を生成し、取得した基本情報を生涯ＩＤ基本テーブル５０に格納する。そして、ＣＰＵ３１０は本生涯ＩＤの登録処理を終了する。
【００６３】
＜生涯ＩＤと学籍番号ＩＤとの関連付け処理＞
図１１は、生涯ＩＤと学籍番号ＩＤとの関連付け処理を示すフローチャート図である。本処理により、ＩＤ対応関係管理テーブル７０が生成され、または、内容が更新される。
【００６４】
Ｓ１１０１で、ＣＰＵ３１０は、入学手続き情報を取得する。Ｓ１１０２で、ＣＰＵ３１０は、入学者に対する学籍番号を発行し入学者へ付与する。Ｓ１１０３で、ＣＰＵ３１０は、取得した入学手続き情報と生涯ＩＤ基本情報テーブル５０の情報を照合する。
【００６５】
Ｓ１１０４で、ＣＰＵ３１０は、Ｓ１１０３の照合結果、すなわち一致する情報の生涯ＩＤを特定する。Ｓ１１０５で、ＣＰＵ３１０は、特定した生涯ＩＤと発行された学籍番号を対応付ける。Ｓ１１０６で、ＣＰＵ３１０は、生涯ＩＤと学籍番号との対応関係情報でＩＤ対応関係管理テーブル７０の内容を更新する。
【００６６】
＜生涯ＩＤを用いた情報検索処理＞
図１２は、生涯ＩＤを用いた情報検索処理を示すフローチャート図である。本処理は、教職員ＰＣ２２７１で受け付けられた検索要求により実行される。
【００６７】
Ｓ１２０１で、ＣＰＵ３１０は、教職員ＰＣ２２７１から送信された検索要求における在籍学校の学籍番号を取得する。例えば、取得した学籍番号が“Ｈ１２０３８”であったとする。Ｓ１２０２で、ＣＰＵ３１０は、取得した学籍番号情報から生涯ＩＤをＩＤ対応関係管理テーブル７０から特定する。取得した学籍番号が“Ｈ１２０３８”なので、ＩＤ対応関係管理テーブル７０から生涯ＩＤが“２００３２０１８０”であると判別できる。これは、学校ＩＤ４（高校）７０５が“Ｈ１２０３８”であるエントリを検索することで判別できる。
【００６８】
Ｓ１２０３で、ＣＰＵ３１０は、取得した生涯ＩＤで他の学籍番号情報をＩＤ対応関係管理テーブル７０で検索する。その結果、学校ＩＤ２（小学校）７０３が“Ｓ０３２１１”という情報と学校ＩＤ３（中学校）７０４が“Ｍ０９０５６”という情報が存在することを判別できる。つまり、高校の学籍番号が“Ｈ１２０３８”である人物（生涯ＩＤが“２００３２０１８０”）は、小学校での学籍番号が“Ｓ０３２１１”で、中学校での学籍番号が“Ｍ０９０５６”と分かる。
【００６９】
Ｓ１２０４で、ＣＰＵ３１０は、他の学籍番号が有るかを判断する。本例では、他の学籍番号が存在するので、ＣＰＵ３１０はＳ１２０５を実行する。存在しない場合（Ｓ１２０４でＮｏ）、ＣＰＵ３１０は、Ｓ１２０６を実行する。例えば、学校ＩＤ７（大学）７０８が“Ｕ２０８８８”の人物（生涯ＩＤ７０１が“２００５２３１１０”）は、大学のみ在籍したので、他の学籍番号は存在しない。Ｓ１２０５で、ＣＰＵ３１０は、取得した他の学籍番号情報を教職員ＰＣ２２７１に送信する。Ｓ１２０６で、ＣＰＵ３１０は、該当する他の学籍番号がないことを教職員ＰＣ２２７１に通知する。
【００７０】
以上のように、生涯ＩＤを利用することで、他の学籍番号を検索することが可能となる。そのため、生涯ＩＤを用いず学籍番号だけで管理している情報の検索も可能となるので、教職員ないし学生における使い勝手（利便性）が向上する。
【００７１】
＜生涯ＩＤと他の生涯ＩＤとの関連付け処理＞
図１３は、生涯ＩＤと他の生涯ＩＤとの関連付け処理を示すフローチャート図である。本処理は、図１０の生涯ＩＤ登録処理の後に実行される処理である。
【００７２】
Ｓ１３０１で、ＣＰＵ３１０は、生涯ＩＤ基本テーブル６０／６１の親類情報から対応する生涯ＩＤ有無を照合する。図６の生涯ＩＤ基本テーブル６０／６１の例では、親類情報の“叔母（旧姓：河川梅子）１９９０年  高校卒業、生年月日：１９７２／１／１”を、他の生涯ＩＤ基本テーブル６０／６１に照合して、生涯ＩＤないし学籍番号を特定する。もし、学籍番号しか判明しない場合はＩＤ対応関係管理テーブル７０から該当する生涯ＩＤを特定する。親類情報が無い場合は、対応する生涯ＩＤも無い可能性が高い。
【００７３】
Ｓ１３０２で、ＣＰＵ３１０は、対応する生涯ＩＤは有るかを判断する。対応する生涯ＩＤが有る場合（Ｙｅｓ）、ＣＰＵ３１０はＳ１３０３を実行し、無い場合（Ｎｏ）は処理を終了する。
【００７４】
Ｓ１３０３で、ＣＰＵ３１０は、対応する生涯ＩＤは直系かを判断する。図６では、叔母を例としているので、ＣＰＵ３１０は直系では無いと判断する。そのため、ＣＰＵ３１０は、次にＳ１３０５の処理を実行する。例えば、祖父母や親子の関係であれば、ＣＰ３１０は、Ｓ１３０４の処理を実行する。
【００７５】
Ｓ１３０４で、ＣＰＵ３１０は、直系の管理テーブルである生涯ＩＤ管理テーブル８０を、前述の親類情報が直系の親子関係であれば、その内容で更新する。
【００７６】
Ｓ１３０５で、ＣＰＵ３１０は、前述の親類情報が叔母であるので傍系の管理テーブルである生涯ＩＤ管理テーブル９０の叔母生涯ＩＤ９０２に検索した生涯ＩＤを設定する。例えば、図９で元生涯ＩＤ９０３に生涯ＩＤが“２００３２０１８０”という人物が登録された場合、対応する叔母生涯ＩＤ（“１９６９２０１２３”）が存在するので、それも生涯ＩＤ管理テーブル８０に登録する。
【００７７】
図１３では、入学時の手続き情報で生涯ＩＤ同士を対応付ける（紐付ける）例を示したが、図５の生涯ＩＤ基本情報テーブル５０の情報で対応付けることもできる。また、図６の生徒・学生基本情報管理テーブル６０／６１で対応付けることもできる。
【００７８】
以上説明したように、本発明の学務統合支援システムでは、入学希望者ないしその保護者による学校法人への最初の接触時に入学希望者ないしその保護者に関する接触情報を取得し、接触情報と関連付ける生涯ＩＤを入学希望者毎に生成し、生成した生涯ＩＤにより１つの学校内または複数の学校で異なる複数の学務情報を一元的に管理することができる。
【００７９】
これにより、学校や学園で管理する情報の管理工数の低減及び効率化の向上ができ、また、管理の一元化ができる学校間ならび学生・保護者・同窓会等で必要な情報を共有することができるので利便性も向上する。
【００８０】
なお、本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００８１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。
【００８２】
各機能を実現するプログラム、テーブル、ファイル等の情報は、メモリや、ハードディスク、ＳＳＤ等の記録装置、または、ＩＣカード、ＳＤカード、ＤＶＤ等の記録媒体に置いてもよい。
【００８３】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８４】
１：学務統合支援システム
２１：データセンタ
２２：校務システム
２３：インターネット
２４：広域イーサネット
４０：学生情報管理機能
５０：生涯ＩＤ基本情報テーブル
６０：生徒・学生基本情報管理テーブル
７０：ＩＤ対応関係管理テーブル
８０、９０：生涯ＩＤ管理テーブル
２１１：サーバ群
２１４：共有ストレージ
２２１：ＮＡＳサーバ
２２２：ＡＤ（ＩＤ認証基盤）サーバ
２２３：プリンタ
２２４：無線アクセスポイント
３１１：ＣＰＵ
３１２：メモリ
３１３：記憶部
３１４：入力部
３１５：出力部
３１６：表示部
３１７：通信部
４０１：出欠席情報管理機能
４０２：成績情報管理機能
４０３：活動記録管理機能
４０４：帳票出力管理機能
４０５：マスタ管理機能
４０６：アクセス権限管理機能
４０７：ＰＴＡ管理機能
４０８：入試管理機能
４０９：クラス編成管理機能
４１０：同窓会管理機能
４１１：学費関連管理機能
４１２：カルテ管理機能
４１３：クラブ・委員会管理機能
４１４：学校説明会管理機能
【図１】
0005922164.tif 000002
【図２】
0005922164.tif 000003
【図３】
0005922164.tif 000004
【図４】
0005922164.tif 000005
【図５】
0005922164.tif 000006
【図６】
0005922164.tif 000007
【図７】
0005922164.tif 000008
【図８】
0005922164.tif 000009
【図９】
0005922164.tif 000010
【図１０】
0005922164.tif 000011
【図１１】
0005922164.tif 000012
【図１２】
0005922164.tif 000013
【図１３】
0005922164.tif 000014